(57)【要約】【課題】パネル部に対する歪みの発生を抑制可能とした間仕切りを提供する。【解決手段】上部レール２に沿って移動する上部ランナ３からパネル部材４を吊り下げ支持する間仕切りにおいて、前記パネル部材４は、パネル部２１と、パネル部２１の上縁部２１ａを支持し上部ランナ３に取り付けられる支持部材２２と、パネル部２１を支持部材２２に対して揺動可能とする揺動部とを備える。【選択図】図１
2018188939.tif 000002
【特許請求の範囲】
【請求項１】
上部レールに沿って移動する上部ランナからパネル部材を吊り下げ支持する間仕切りにおいて、
前記パネル部材は、パネル部と、
前記パネル部の上縁部を支持し、前記上部ランナに取り付けられる支持部と、
前記パネル部を前記支持部に対して揺動可能とする揺動部と
を備える間仕切り。
【請求項２】
前記支持部は、前記上部ランナに対して一体的に設けられている
請求項１に記載の間仕切り。
【請求項３】
前記支持部は、前記上縁部の全幅又は一部を支持する上枠部材であり、前記上枠部材が前記上部ランナに連結されている
請求項１に記載の間仕切り。
【請求項４】
前記揺動部は、前記上縁部において、上下方向を長軸とした長孔と、前記長孔に挿通され両端部が前記支持部に支持された軸部材とを備える
請求項１または２に記載の間仕切り。
【請求項５】
前記揺動部は、前記支持部と前記上縁部との間に緩衝部材を備える
請求項１ないし４のうち何れか１項記載の間仕切り。
【請求項６】
前記揺動部は、前記上縁部に固定され、前記支持部に対して揺動可能に支持される揺動軸部材である
請求項１に記載の間仕切り。
【請求項７】
前記揺動軸部材は、前記支持部が備えた受容部によって支持されている
請求項６に記載の間仕切り。
【請求項８】
受容部の受容面と前記揺動軸部材の外周面とは、同一円周上に位置している
請求項６または７に記載の間仕切り。
【請求項９】
前記揺動部と前記支持部との間の間隙を閉塞する閉塞部をさらに備える
請求項６ないし８のうち何れか１項に記載の間仕切り。
【請求項１０】
前記パネル部材は、複数の前記パネル部を上下方向に備え、
上下方向に並ぶパネル部は、上側に位置する前記パネル部の下縁部に対して下側に位置する前記パネル部の上縁部が揺動可能である
請求項１に記載の間仕切り。
【請求項１１】
前記パネル部は、透光性領域を備え、
前記パネル部材は、前記パネル部の上下方向に延びる側縁部および前記パネル部の移動方向に沿った横桟を備えていない
請求項１ないし１０のうち何れか１項記載の間仕切り。
【請求項１２】
前記パネル部は、透光性を有する第１パネル要素および第２パネル要素と、前記第１パネル要素および前記第２パネル要素の間に配置される生地要素とを備えている
請求項１ないし１１のうち何れか１項に記載の間仕切り。
【発明の詳細な説明】
【技術分野】
【０００１】
本発明は、上部レールに沿って移動する上部ランナからパネル部材を吊り下げ支持する間仕切りに関する。
【背景技術】
【０００２】
従来、室内空間を適宜に区画する遮蔽装置としての間仕切りは、パネル部材が上部レールに沿って移動する上部ランナから吊り下げ支持されている。パネル部材は、パネル部の上縁部を挟み込んだ上枠部材を備えており、上枠部材を介して上部ランナから吊り下げられている（特許文献１参照）。上枠部材に対しては、パネル部の上縁部の全幅が接着剤やねじ止めによって固定されている。また、パネル部の下縁部においても、下枠部材が全幅に亘って接着剤やねじ止めによって固定されている。
【先行技術文献】
【特許文献】
【０００３】
【特許文献１】特開２００６−１０４７２４号公報
【発明の概要】
【発明が解決しようとする課題】
【０００４】
ところで、上枠部材や下枠部材は製造誤差を有している。また、パネル部も製造誤差を有している。したがって、上枠部材や下枠部材とパネル部とを固定したときには、上枠部材や下枠部材の製造誤差とパネル部の製造誤差とが積み重なって、パネル部に反りなどの大きな歪みを発生させてしまうおそれがある。また、パネル部の上下方向に延びる側縁部に枠部材を固定するときには、パネル部にさらに大きな歪みが発生させるおそれがある。
【０００５】
本発明は、パネル部に対する歪みの発生を抑制可能とした間仕切りを提供することを目的とする。
【課題を解決するための手段】
【０００６】
上記課題を解決する間仕切りは、上部レールに沿って移動する上部ランナからパネル部材を吊り下げ支持する間仕切りにおいて、前記パネル部材は、パネル部と、前記パネル部の上縁部を支持し、前記上部ランナに取り付けられる前記支持部と、前記パネル部を前記支持部に対して揺動可能とする揺動部とを備える。
【０００７】
上記間仕切りにおいて、前記支持部は、前記上部ランナに対して一体的に設けられていることが好ましい。
上記間仕切りにおいて、前記支持部は、前記上縁部の全幅又は一部を支持する上枠部材であり、前記上枠部材が前記上部ランナに連結されていることが好ましい。
【０００８】
上記間仕切りにおいて、前記揺動部は、前記上縁部において、上下方向を長軸とした長孔と、前記長孔に挿通され両端部が前記支持部に支持された軸部材とを備えることが好ましい。
上記間仕切りにおいて、前記揺動部は、前記支持部と前記上縁部との間に緩衝部材を備えることが好ましい。
【０００９】
上記間仕切りにおいて、前記揺動部は、前記上縁部に固定され、前記支持部に対して揺動可能に支持される揺動軸部材であることが好ましい。
上記間仕切りにおいて、前記揺動軸部材は、前記支持部が備えた受容部によって支持されていることが好ましい。
【００１０】
上記間仕切りにおいて、前記受容部の受容面と前記揺動軸部材の外周面とは、同一円周上に位置していることが好ましい。
上記間仕切りにおいて、前記揺動部と前記支持部との間の間隙を閉塞する閉塞部をさらに備えることが好ましい。
【００１１】
上記間仕切りにおいて、前記パネル部材は、複数の前記パネル部を上下方向に備え、上下方向に並ぶパネル部は、上側に位置する前記パネル部の下縁部に対して下側に位置する前記パネル部の上縁部が揺動可能であることが好ましい。
【００１２】
上記間仕切りにおいて、前記パネル部は、透光性領域を備え、前記パネル部材は、前記パネル部の上下方向に延びる側縁部および前記パネル部の移動方向に沿った横桟を備えていないことが好ましい。
【００１３】
上記間仕切りにおいて、前記パネル部は、透光性を有する第１パネル要素および第２パネル要素と、前記第１パネル要素および前記第２パネル要素の間に配置される生地要素とを備えていることが好ましい。
【発明の効果】
【００１４】
本発明によれば、パネル部に対する歪みの発生を抑制可能とした間仕切りを提供することができる。
【図面の簡単な説明】
【００１５】
【図１】第１実施形態における間仕切りの正面図。
【図２】第１実施形態における間仕切りの断面図。
【図３】（ａ）はパネル部の正面図、（ｂ）は長孔とカラーとの関係を示す拡大断面図、（ｃ）は長孔とカラーの関係における変形例を示す拡大断面図。
【図４】第２実施形態における間仕切りの正面図。
【図５】第２実施形態における間仕切りの断面図。
【図６】（ａ）は第３実施形態における間仕切りの断面図、（ｂ）は揺動軸部材とパネル部の取付開口部との関係を示す斜視図。
【図７】第４実施形態における間仕切りの斜視図。
【図８】第４実施形態における間仕切りの分解斜視図。
【図９】（ａ）は第４実施形態における間仕切りの断面図、（ｂ）は揺動した状態の断面図。
【図１０】第５実施形態における間仕切りの斜視図。
【図１１】第５実施形態における間仕切りの分解斜視図。
【図１２】第５実施形態における上枠部材の断面図。
【図１３】（ａ）は第５実施形態における間仕切りの断面図、（ｂ）は揺動した状態の断面図。
【図１４】第６実施形態における間仕切りの断面図。
【図１５】第７実施形態におけるパネル部の分解斜視図であり、（ａ）は接着手段を上縁部に設けた例の分解斜視図、（ｂ）は接着手段を全周に設けた例の分解斜視図。
【図１６】第８実施形態における間仕切りの斜視図。
【図１７】第８実施形態における間仕切りの分解斜視図。
【図１８】第９実施形態における間仕切りの斜視図。
【図１９】第９実施形態における間仕切りの分解斜視図。
【図２０】上部ランナの変形例を示す斜視図。
【発明を実施するための形態】
【００１６】
以下、図１〜図２０を参照して、本発明に係る間仕切りの実施形態について説明する。
〔第１実施形態〕
図１に示すように、間仕切り１は、引戸であって、上部レール２に沿って移動する上部ランナ３からパネル部材４を吊り下げ支持され、パネル部材４は、移動方向である矢印Ｄ１方向に移動する。
【００１７】
図２に示すように、上部レール２は、前壁６ａと、前壁６ａと対向する後壁６ｂと、前壁６ａと後壁６ｂとを繋ぐ上壁６ｃとを備える。さらに、上部レール２の下面は、長手方向に沿って、支軸が挿通されるレール開口部７を備え、レール開口部７を挟んだ両側に、支持片７ａを備えている。上部ランナ３は、上部レール２の内部に、長手方向に沿って移動可能に配置される。支持片７ａは、上部ランナ３の車輪１２が転動するレールとなる。
【００１８】
上部ランナ３は、ランナ本体１１を備えている。ランナ本体１１には、４個の車輪１２が回転可能に支持されている。車輪１２は、上部レール２内をほぼ上下動不能な状態で支持片７ａ上を転動する。ランナ本体１１は、ランナ本体１１から垂下された支軸１３によってパネル部材４と接続される。ランナ本体１１には、支軸１３の上端部が固定される。支軸１３の下端部には、パネル部材４の支持部材２２が一体的に設けられる。
【００１９】
パネル部材４は、パネル部２１と、パネル部２１を上部ランナ３に対して支持する支持部としての支持部材２２とを備えている。このパネル部材４においては、枠部材がパネル部２１の全周の縁部には取り付けられておらず、上部ランナ３に対する接続位置にのみ支持部材２２が配置される。ここでは、１枚のパネル部材４は、２つの上部ランナ３によって吊り下げ支持されている。そこで、パネル部２１には、上縁部２１ａの上部ランナ３の位置に対応した２つの位置が支持部材２２の配置位置となる。すなわち、パネル部材４は、一例として、パネル部２１の上下方向に延びる側縁部２１ｃ，２１ｄに沿った縦枠部材や上縁部や下縁部に沿った横枠部材やパネル部２１の移動方向に沿ってパネル部２１を跨ぐように配置された横桟を備えていない。これにより、パネル部２１の縁部に対して横枠部材や縦枠部材や横桟を固定した場合のように、パネル部２１に歪みが発生することを抑制することができる。また、横枠部材や縦枠部材や横桟を備えないことで、外観を良くすることができ、さらに、パネル部材４のデザイン設計の自由度を確保することができる。
【００２０】
パネル部２１は、矩形形状を有する板体であり、一例としてガラスやポリカーボネートなどの合成樹脂により形成されている。また、一例として、パネル部２１は、各面に、種々の装飾を施すことができる。一例として、パネル部２１は、全体が透光性を有している。また、一部が透光性を有し、残りが遮光性となるように構成することができる。図３（ａ）に示すように、パネル部２１の上縁部２１ａには、一対の支持部材２２の配置位置に、一対の支持部材２２を取り付けるための取付孔としての長孔２３を備えている。長孔２３は、長軸が移動方向である矢印Ｄ１方向に対して交差する方向、例えば直交する方向である上下方向に設定されている。
【００２１】
図２に示すように、支持部材２２は、一対の支持片２２ａと、一対の支持片２２ａを上端部で連結する連結部２２ｂとを備えている。一対の支持片２２ａは、上下方向を長手方向とした細長い矩形形状を有している。一対の支持片２２ａは、上縁部２１ａにおける上部ランナ３の位置に対応する配置位置において、上縁部２１ａを挟み込む。一対の支持片２２ａは、長手方向の上端部において、連結部２２ｂにより連結されている。そして、連結部２２ｂには、支軸１３の下端部が一体的に設けられている。
【００２２】
一対の支持片２２ａは、連結孔２８を備えている。パネル部２１の長孔２３には、筒状のカラー２８ａが挿通される。さらに、ねじなどの固定部材２８ｂがカラー２８ａおよび連結孔２８に挿入され、ナット２８ｃが締め付けられる。これにより、一対の支持片２２ａの間にパネル部２１の上縁部２１ａが連結される。長孔２３の長軸の長さは、カラー２８ａが上下方向にがたつきを有する大きさである。これにより、パネル部２１は、長孔２３内をカラー２８ａが変位し得る分だけ、一対の支持片２２ａに対して前後方向である矢印Ｄ２方向に揺動することができる。すなわち、カラー２８ａおよび固定部材２８ｂは、軸部材を構成し、これらが長孔２３に挿通されることで、パネル部２１を一対の支持片２２ａに対して揺動可能とする揺動部を構成する。長孔２３とカラー２８ａとの間には、円滑に揺動するように潤滑剤などを塗布するようにしてもよい。
【００２３】
長孔２３の周辺であって、上縁部２１ａと一対の支持片２２ａの内面との間には、緩衝部材２４が配置されている。緩衝部材２４は、一例としてゴムなどの弾性体であり、上縁部２１ａが揺動したとき、支持片２２ａの内面との衝撃を緩和する。
【００２４】
パネル部２１の下縁部２１ｂには、下縁部２１ｂを床面との接触などから保護するカバー２９が取り付けられている。カバー２９は、断面がＣ字形状を有しており、下縁部２１ｂにおける前面、後面、および、端面を覆う。カバー２９の底部には、下縁部２１ｂの端面との間に緩衝材２９ａが配置されている。カバー２９は、横枠部材のように下縁部２１ｂを強固に拘束せず、パネル部２１の形状を矯正するものではないため、パネル部２１に対する歪みの発生を抑えることができる。
【００２５】
上記第１実施の形態によれば、以下のように列挙する作用効果を得ることができる。
（１−１）パネル部２１の上縁部２１ａにおいても、上部ランナ３に対して、支持部材２２によって支持されているだけである。すなわち、一般に使用されている横枠部材のように移動方向に沿った上縁部や下縁部の全幅を接着剤やねじ止めによって強固に固定されていない。したがって、パネル部材４では、パネル部２１が誤差を有していても、横枠部材のような他の部材で矯正されることが少なくなる。したがって、パネル部２１が歪みによりそりなどが発生することを抑制することができる。
【００２６】
（１−２）パネル部２１は、揺動可能に上部ランナ３から吊り下げられているので、異物が当たり外力が加わったとしても、矢印Ｄ２方向に揺動することで破損しにくくなる。
（１−３）下縁部２１ｂは、カバー２９が設けられているので、床面などに繰り返し当たって傷などが付くことを抑えられる。
【００２７】
（１−４）パネル部２１は、上縁部２１ａに支持部材２２が配置されているだけで、側縁部２１ｃ，２１ｄに縦枠部材が配置されていない。さらに、横桟を備えていない。これにより、パネル部材４の外観を良くすることができ、また、パネル部材４のデザイン設計の自由度を確保することができる。
【００２８】
なお、上記第１実施形態は、以下のように適宜変更して実施することもできる。
・カバー２９は、上下方向に延びる側縁部２１ｃ，２１ｄに設けるようにしてもよい。これにより、隣接するパネル部材４に繰り返し当たることによって、側縁部２１ｃ，２１ｄに傷などが付くことを抑えることができる。
・カバー２９は、床面との間隔が十分あるときなどには、省略してもよい。
【００２９】
・上縁部２１ａが変位しても支持片２２ａの内面に当たるおそれのないときは、緩衝部材２４を省略してもよい。
・パネル部材４を吊り下げ支持する上部ランナ３およびこれに対応する一対の支持片２２ａの数は、１つのパネル部材４に対して２つに限定されるものではなく、１つでも、３つ以上であってもよい。
【００３０】
・長孔２３にはカラー２８ａを省略し、固定部材２８ｂだけを挿通するようにしてもよい。また、長孔２３には、さらにパネル部２１の荷重を支持するため、さらなる補強部材を挿通するようにしてもよい。
・長孔２３の大きさは、軸部材であるカラー２８ａに対して上下方向に加えて、横方向においてもがたつきを有するものであってもよい。
【００３１】
・図３（ｂ）に示すように、長孔２３における上下方向の端面は、平坦面２５ａであってもよい。
図３（ｃ）に示すように、長孔２３における上下方向の端面は、上縁部２１ａの厚さ方向のほぼ中心を最高部とした円弧面２５ｂで構成することもできる。この場合、パネル部２１は、カラー２８ａの外周面が円弧面に沿って変位するようになり、滑らかに矢印Ｄ２方向に揺動するようになる。最高部の位置は、上縁部２１ａの厚さ方向のほぼ中心に対して、何れか一方の面に偏倚していてもよい。
長孔２３における上下方向の端面は、円弧面の代わりに、鋭角形状、鈍角形状、直角形状などの角形状であってもよい。また、上側の端面と下側の端面は、何れか一方が円弧面で他方が平坦面であってもよい。
【００３２】
〔第２実施形態〕
図４に示すように、第２実施形態の間仕切り３１は、パネル部２１の上縁部２１ａにおいて、支持部として、全幅に亘って上枠部材３２が取り付けられている。ただし、間仕切り３１におけるパネル部材４においても、パネル部２１は、支持部としての上枠部材３２によって上縁部２１ａが強固に拘束されておらず、矢印Ｄ２方向に揺動可能に支持されている。なお、第１実施形態と同じものについては、同一の符号を付して詳細は省略する。
【００３３】
図５に示すように、具体的には、上枠部材３２は、パネル部２１の上縁部２１ａの全幅に亘って、一対の支持片３３を備えている。一対の支持片３３は、矢印Ｄ１方向に延びる長尺な部材であって、上縁部２１ａの全幅とほぼ同じ寸法を有している。そして、一対の支持片３３は、上部ランナ３の位置に対応する連結位置において、上部ランナ３と連結されている。連結位置において、一対の支持片３３は、上端部に取付孔３４を備えている。支軸１３の貫通孔１４と一対の支持片３３の取付孔３４の軸線を一致させて、ねじなどの固定部材３４ａを両側から締め付けることによって、支軸１３と一対の支持片３３とは固定される。
【００３４】
一対の支持片３３は、下端部において、連結孔３５を備えている。パネル部２１の長孔２３には、カラー３５ａが挿通される。さらに、ねじなどの固定部材３５ｂがカラー３５ａおよび連結孔３５に挿入されナット３５ｃが締め付けられる。これにより、一対の支持片３３の間にパネル部２１の上縁部２１ａが連結される。一対の支持片３３における連結孔３５の位置は、上部ランナ３の位置に対応する位置であってもよいし、対応しない位置であってもよいが、所定の間隔を空けて矢印Ｄ１方向に複数箇所設けられる。そして、上縁部２１ａの長孔２３の位置は、連結孔３５の位置に対応して設けられる。そして、パネル部２１は、長孔２３内をカラー３５ａが変位し得る分だけ、一対の支持片３３に対して前後方向である矢印Ｄ２方向に揺動することができる。すなわち、カラー３５ａおよび固定部材３５ｂは、軸部材を構成し、これらが長孔２３に挿通されることで、パネル部２１を一対の支持片３３に対して揺動可能とする揺動部を構成する。長孔２３とカラー２８ａとの間には、円滑に揺動するように潤滑剤などを塗布するようにしてもよい。
【００３５】
長孔２３の周辺であって、上縁部２１ａと支持片３３の内面との間には、緩衝部材３６が配置されている。緩衝部材３６は、一例としてゴムなどの弾性体であり、上縁部２１ａが変位したとき、支持片３３の内面との衝撃を和らげる。
【００３６】
以上のようなパネル部２１は、上縁部２１ａが上枠部材３２に対して揺動可能に支持されているので、異物が当たり外力が加わったとしても、矢印Ｄ２方向に揺動することで破損しにくくなる。また、パネル部２１は、パネル部２１に対して歪みが発生することを抑えることができる。
【００３７】
なお、上記第２実施形態は、以下のように適宜変更して実施することもできる。
・上縁部２１ａが変位しても支持片３３の内面に当たるおそれのないときは、緩衝部材３６を省略してもよい。
・パネル部材４を吊り下げ支持する上部ランナ３の数は、１つのパネル部材４に対して２つに限定されるものではなく、１つでも、３つ以上であってもよい。
【００３８】
・長孔２３にはカラー３５ａを省略し、固定部材３５ｂだけを挿通するようにしてもよい。また、長孔２３には、さらにパネル部２１の荷重を支持するため、さらなる補強部材を挿通するようにしてもよい。
・一対の支持片３３は、上端部において連結部で連結されて、断面が逆Ｕ字形状を有するようにしてもよい。これにより、上枠部材３２は１部材となり、組立作業が容易となる。
【００３９】
・長孔２３の大きさは、軸部材であるカラー３５ａに対して上下方向に加えて、横方向においてもがたつきを有するものであってもよい。また、長孔２３は、図３（ｂ）や図３（ｃ）の構成を備えていてもよい。
・上枠部材３２は、上縁部２１ａの全幅に連続して設けられていなくてもよく、上縁部２１ａに対して、矢印Ｄ１方向に所定間隔を空けて部分的に設けるようにしてもよい。
【００４０】
〔第３実施形態〕
第３実施形態の間仕切り４１を図６を参照して説明する。なお、第１実施形態と同じものについては、同一の符号を付して詳細は省略する。
図６（ａ）に示すように、間仕切り４１は、パネル部２１の上縁部２１ａにおいて、パネル部２１を上枠部材４２に対して揺動可能に支持する揺動部としての揺動軸部材４３を備えている。揺動軸部材４３は、パネル部２１の上縁部２１ａのほぼ全幅に亘って設けられている。より具体的には、揺動軸部材４３は、上縁部２１ａの矢印Ｄ１方向における両端部を除いて全幅に亘って設けられている。揺動軸部材４３は、外周面が円弧形状を有しており、一例として、略円柱形状を有している。揺動軸部材４３の上部には、長手方向に沿って取付溝４３ｃを備えている。図６（ｂ）に示すように、上縁部２１ａには、揺動軸部材４３を取り付けるための取付開口部４３ａを備えている。取付開口部４３ａにおける上縁の厚さと取付溝４３ｃの幅は、ほぼ一致され、上縁が取付溝４３ｃに嵌合し得るように構成されている。取付開口部４３ａは、矢印Ｄ１方向を長手方向とした矩形形状をした貫通孔であり、長手方向の寸法を揺動軸部材４３の長さと一致させている。なお、取付開口部４３ａの長手方向の寸法は、揺動軸部材４３の長さより長くてもよい。また、取付開口部４３ａは、その上下方向の長さが揺動軸部材４３の直径より大きく設定されている。揺動軸部材４３は、取付開口部４３ａの上縁が取付溝４３ｃに嵌合され、さらに接着剤などの固定手段によって固定される。したがって、取付開口部４３ａには、揺動軸部材４３が取り付けられた後であっても、揺動軸部材４３の下側に貫通部４３ｂが構成される。なお、第３実施形態では、上縁部２１ａに長孔２３は設けられていない。
【００４１】
支持部としての上枠部材４２は、パネル部２１の上縁部２１ａの全幅に亘って、一対の支持片４４を備えている。一対の支持片４４は、矢印Ｄ１方向に延びる長尺な部材であって、上縁部２１ａの全幅とほぼ同じ寸法を有している。そして、上部ランナ３の位置に対応する一対の支持片４４と連結する連結位置において、一対の支持片４４は、上端部に取付孔４５を備えている。支軸１３の貫通孔１４と一対の支持片４４の取付孔４５の軸線を一致させて、ねじなどの固定部材４５ａで両側から締め付けることによって、支軸１３と一対の支持片４４とは固定される。
【００４２】
一対の支持片４４は、下端部において、内面から内側に突出した突片４６を備えている。突片４６は、揺動軸部材４３を支持する片であり、その先端部には、揺動軸部材４３を揺動可能に支持する円弧形状を有した受容部４６ａを備えている。突片４６は、下側に補強リブ４６ｂを備え、パネル部２１の荷重を支持できるように補強されている。受容部４６ａは、突片４６の先端部と当該先端部から下方内側に向かって延びた湾曲片によって構成されており、揺動軸部材４３の外周面に対応した円弧形状を有している。受容部４６ａは、揺動軸部材４３の外周面を、下側を半分程度、すなわち図中横部分から下部分にかけて受容できる大きさに形成されている。一対の支持片４４が突き合わされたとき、各突片４６の受容部４６ａは、対向され、下端部が貫通部４３ｂに入り込む。これにより、受容部４６ａは、揺動軸部材４３の横部分から下部分を受容し、安定して揺動可能に支持することができる。したがって、パネル部２１は、異物が当たり外力が加わったとしても、矢印Ｄ２方向に揺動することで破損しにくくなる。また、パネル部２１に対して歪みが発生することを抑えることができる。揺動軸部材４３と受容部４６ａとの間には、円滑に揺動するように潤滑剤などを塗布するようにしてもよい。
また、貫通部４３ｂの上下方向の寸法は、パネル部２１が持ち上がるような外力が加わり持ち上がることがあっても、取付開口部４３ａの下縁が突片４６の下面に突き当たり、揺動軸部材４３が受容部４６ａから外れない寸法とされる。
【００４３】
なお、上記第３実施形態は、以下のように適宜変更して実施することもできる。
・揺動軸部材４３は、パネル部２１の上縁部２１ａのほぼ全幅に亘って設けられていなくてもよい。例えば、上縁部２１ａにおいて、上部ランナ３に対応する位置に設けるようにしてもよい。また、上部ランナ３の位置とは無関係に、部分的に、すなわち複数箇所に揺動軸部材４３を設けるようにしてもよい。これにより、上縁部２１ａにおいても、パネル部２１の製造誤差に伴う歪みの発生を抑えることができる。
【００４４】
・揺動軸部材４３は、上縁部２１ａの矢印Ｄ１方向の両端部から外側に突出するように設けてもよい。このような場合、上枠部材４２は、上縁部２１ａの全幅より長く形成し、上縁部２１ａからはみ出した部分に突片４６および受容部４６ａを設け、上縁部２１ａから突出した揺動軸部材４３を支持するようにすればよい。
【００４５】
また、第２実施形態の構成と組み合わせてもよい。すなわち、上縁部２１ａの矢印Ｄ１方向の両端部からはみ出した部分は、揺動軸部材４３を受容部４６ａで揺動可能に支持するようにし、上縁部２１ａでは、長孔２３に軸部材を挿通して揺動可能としてもよい。
【００４６】
・揺動軸部材４３は、半円柱形状を有した一対の半体部材を上縁部２１ａの一方の面および他方の面から突き合わせて、上縁部２１ａを挟み込み、ねじなどの固定部材で半体部材同士を固定することによって設けるようにしてもよい。また、揺動軸部材４３は、パネル部２１と一体に成形することもできる。受容部４６ａを、揺動軸部材４３の外周面を横部分から下部分にかけて受容できる大きさに形成する場合には、貫通部４３ｂに相当する孔を上縁部２１ａに設けるようにしてもよい。
・上枠部材４２は、上縁部２１ａの全幅に連続して設けられていなくてもよく、上縁部２１ａに対して、矢印Ｄ１方向に所定間隔を空けて部分的に設けるようにしてもよい。
【００４７】
〔第４実施形態〕
第４実施形態の間仕切り５１を図７ないし図９を参照して説明する。なお、第１実施形態と同じものについては、同一の符号を付して詳細は省略する。
【００４８】
図７および図８に示すように、間仕切り５１は、パネル部２１の上縁部２１ａにおいて、パネル部２１を上枠部材５２に対して揺動可能に支持する揺動部としての揺動軸部材５３を備えている。揺動軸部材５３は、上縁部２１ａにおいて、矢印Ｄ１方向に部分的に設けられている。揺動軸部材５３は、略半円柱形状を有した一対の軸半体５３ａ，５３ｂを備えている。各軸半体５３ａ，５３ｂは、上縁部２１ａへの当接面５３ｃ，５３ｄが平坦面で形成され、この当接面５３ｃ，５３ｄに対して外側の面が支持面５３ｅ，５３ｆとなり略円柱形状を有している。各軸半体５３ａ，５３ｂは、上縁部２１ａに固定するための挿通孔５４を有している。軸半体５３ａ，５３ｂは、上縁部２１ａを当接面５３ｃ，５３ｄで挟み込み、上縁部２１ａに形成された取付孔５５に対して挿通孔５４の位置を合わせる。そして、一方の軸半体５３ｂから固定部材としてのねじ５５ａを挿通孔５４および取付孔５５に挿通し、他方の軸半体５３ａの挿通孔５４においてナット５５ｂを締め付ける。これにより、一対の軸半体５３ａ，５３ｂは、上縁部２１ａを挟み込むようにして取り付けられる。このように、揺動軸部材５３は、上縁部２１ａにおいて、上縁部２１ａの全部ではなく部分的に設けるようにしているので、パネル部２１に歪みが発生することを抑えることができる。
【００４９】
以上のような揺動軸部材５３を支持する支持部としての上枠部材５２には、揺動軸部材５３を支持する受容部材５６ａ，５６ｂが配置される。上枠部材５２は、パネル部２１の上縁部２１ａの全幅に亘って、連結片５７ｂで連結された一対の支持片５７を備えている。また、一対の支持片５７の下端部の間には、上縁部２１ａが挿入される案内溝５７ａを備え、案内溝５７ａの上方に、揺動軸部材５３が揺動可能に配設される空間部が構成されている。また、一対の支持片５７には、内側に突出し、かつ、上下に平行な片５８ａが設けられ、上下の片５８ａの間に、受容部材５６ａ，５６ｂを取り付けるための取付凹部５８が設けられている。下側の片５８ａの先端部、すなわち案内溝５７ａに臨む位置には、受容部材５６ａ，５６ｂを支持する係止片５８ｂを備えている。係止片５８ｂは、下側の片５８ａの先端部が上側に向かって折曲され、受容部材５６ａ，５６ｂが取付凹部５８から案内溝５７ａへ脱落しないようにする。
【００５０】
図８および図９（ａ）に示すように、受容部材５６ａ，５６ｂは、本体部５９ａ，５９ｂを備える。本体部５９ａ，５９ｂは、取付凹部５８に取り付けられる。一例として、本体部５９ａ，５９ｂは、一対の支持片５７の矢印Ｄ１方向における各端部から取付凹部５８に挿入することができる。本体部５９ａ，５９ｂは、揺動軸部材５３の支持面５３ｅ，５３ｆに対応した円弧形状の凹部で構成された受容部６０ａ，６０ｂを備えている。受容部６０ａは、支持面５３ｅを支持し、受容部６０ｂは、支持面５３ｆを支持する。揺動軸部材５３の支持面５３ｅ，５３ｆの円弧面、および、受容部６０ａ，６０ｂにおける支持面５３ｅ，５３ｆを支持する部分の円弧面は、真円における同一円周６４上に位置している。これにより、パネル部２１は、円滑に揺動するようになる。また、各受容部６０ａ，６０ｂの矢印Ｄ１方向の両端部には、側壁６３ａ，６３ｂを備えている。側壁６３ａ，６３ｂの幅Ｗ１は、揺動軸部材５３の矢印Ｄ１方向の幅Ｗ２より若干大きく設定されている。これにより、揺動軸部材５３が受容部６０ａ，６０ｂに対して矢印Ｄ１方向にずれてしまうことを防ぐことができる。なお、揺動軸部材５３の矢印Ｄ１方向のがたつきを許容する場合には、必要とするがたつきに合わせて、側壁６３ａ，６３ｂの幅Ｗ１を揺動軸部材５３の矢印Ｄ１方向の幅Ｗ２より大きく設定すればよい。
【００５１】
受容部６０ａ，６０ｂの間からは、上縁部２１ａが案内溝５７ａを通じて下方に延出する。このように、受容部材５６ａ，５６ｂは、揺動軸部材５３を揺動可能に支持する。ここで、図９（ａ）は、パネル部２１が揺動していない静止状態を示しており、図９（ｂ）は、パネル部２１が揺動している状態を示している。パネル部２１は、異物が当たり外力が加わったとき、矢印Ｄ２方向に揺動することで破損しにくくなる。揺動軸部材５３と受容部６０ａ，６０ｂとの間には、円滑に揺動するように潤滑剤などを塗布するようにしてもよい。
【００５２】
なお、上枠部材５２において、一対の支持片５７の上端部には、上部ランナ３から垂下された支軸１３を保持する軸保持部材６１が設けられている。軸保持部材６１は、ねじなどの固定部材６２によって上枠部材５２に固定され、支軸１３の下端部を保持する。
【００５３】
なお、上記第４実施形態は、以下のように適宜変更して実施することもできる。
・揺動軸部材５３は、パネル部２１の上縁部２１ａの全幅に亘って設けるようにしてもよい。
・上下方向に延びる側縁部２１ｃ，２１ｄには、上述のカバー２９を設けるようにしてもよい。これにより、隣接するパネルに繰り返し当たることによって、側縁部２１ｃ，２１ｄに傷などが付くことを抑えることができる。
・上枠部材５２は、上縁部２１ａの全幅に連続して設けられていなくてもよく、上縁部２１ａに対して、矢印Ｄ１方向に所定間隔を空けて部分的に設けるようにしてもよい。
【００５４】
〔第５実施形態〕
第５実施形態の間仕切り７１を図１０ないし図１３を参照して説明する。なお、第１実施形態および第４実施形態と同じものについては、同一の符号を付して詳細は省略する。第５実施形態は、第４実施形態とほぼ同じ揺動部としての揺動軸部材５３を備えている。ただし、各軸半体５３ａ，５３ｂは、上端部に、位置決めのため上縁部２１ａに係合する係合片５３ｇ，５３ｈを備えている。また、上枠部材で揺動軸部材５３を受ける受け構造が受容部材５６ａ，５６ｂを用いない点で第４実施形態と異なっている。
【００５５】
図１０〜図１２に示すように、揺動軸部材５３を支持する上枠部材７２は、パネル部２１の上縁部２１ａの全幅に亘って、一対の支持片７３を備えている。一対の支持片７３は、連結片７３ａで連結されている。また、一対の支持片７３の下端部の間には、上縁部２１ａが挿入される案内溝７３ｂを備えている。一対の支持片７３の下端部において、案内溝７３ｂを臨む位置には、揺動軸部材５３を受容する受容部としての受容片７４ａ，７４ｂを備えている。受容片７４ａ，７４ｂは、揺動軸部材５３の支持面５３ｅ，５３ｆに対応した円弧形状の凹部で構成されている。また、一対の支持片７３の内面には、受容片７４ａ，７４ｂと協働して揺動軸部材５３を支持する案内突部７５ａ，７５ｂを備えている。案内突部７５ａ，７５ｂの頂面もまた、支持面５３ｅ，５３ｆに対応した円弧形状の凹部で構成されている。揺動軸部材５３の支持面５３ｅ，５３ｆの円弧面、受容片７４ａ，７４ｂの円弧面、および、案内突部７５ａ，７５ｂの円弧面は、真円における同一円周７５ｃ上に位置している。受容片７４ａ，７４ｂおよび案内突部７５ａ，７５ｂは、支持面５３ｅ，５３ｆを揺動可能に支持し、受容片７４ａ，７４ｂの間からは、上縁部２１ａが案内溝７３ｂを通じて下方に延出する。したがって、パネル部２１は、異物が当たり外力が加わったとき、矢印Ｄ２方向に揺動することで破損しにくくなる。なお、第４実施形態では、受容部材５６ａ，５６ｂで揺動軸部材５３を揺動可能に支持している分、本実施形態よりも滑らかに揺動させることができる。揺動軸部材５３と受容片７４ａ，７４ｂとの間には、円滑に揺動するように潤滑剤などを塗布するようにしてもよい。
【００５６】
受容片７４ａ，７４ｂの基端部には、開口端が案内溝７３ｂに臨むように凹部７６ａ，７６ｂが設けられている。凹部７６ａ，７６ｂには、案内溝７３ｂにおいて、その開口端部と上縁部２１ａとの隙間を閉塞する閉塞部材７７ａ，７７ｂが配置される。閉塞部としての閉塞部材７７ａ，７７ｂは、上縁部２１ａに当接する当接部７８ａ，７８ｂと、凹部７６ａ，７６ｂに回動可能に係合される回動軸７９ａ，７９ｂとを備えている。閉塞部材７７ａ，７７ｂは、凹部７６ａ，７６ｂにおいて回動軸７９ａ，７９ｂが回動可能に支持されている。閉塞部材７７ａ，７７ｂは、パネル部２１が揺動したとき、当接部７８ａ，７８ｂが上縁部２１ａに当接する。図１３（ａ）に示すように、パネル部２１が揺動していない静止状態のときには、案内溝７３ｂの開口端部と上縁部２１ａとの間に隙間が存するが、図１３（ｂ）に示すように、パネル部２１が揺動したときには、閉塞部材７７ａ，７７ｂが上縁部２１ａに当接しパネル部２１の揺動に追従して回動する。これにより、閉塞部材７７ａ，７７ｂは、案内溝７３ｂの開口端部と上縁部２１ａとの間の隙間を閉塞するとともに、上縁部２１ａが直接、案内溝７３ｂの開口端部に当接しないようにし、パネル部２１の破損を抑制する。また、パネル部２１が静止状態のときであっても、当接部７８ａ，７８ｂは、案内溝７３ｂの開口端部と上縁部２１ａとの間の隙間を狭め使用者から見えにくくする。
【００５７】
なお、上記第５実施形態は、以下のように適宜変更して実施することもできる。
・揺動軸部材５３は、パネル部２１の上縁部２１ａの全幅に亘って設けるようにしてもよい。
・上下方向に延びる側縁部２１ｃ，２１ｄには、上述のカバー２９を設けるようにしてもよい。これにより、隣接するパネルに繰り返し当たることによって、側縁部２１ｃ，２１ｄに傷などが付くことを抑えることができる。
・受容片７４ａ，７４ｂの円弧面および案内突部７５ａ，７５ｂの円弧面は、連続した１つの円弧面で構成してもよい。
・上枠部材７２は、上縁部２１ａの全幅に連続して設けられていなくてもよく、上縁部２１ａに対して、矢印Ｄ１方向に所定間隔を空けて部分的に設けるようにしてもよい。
【００５８】
〔第６実施形態〕
第６実施形態の間仕切り８１を図１４を参照して説明する。上部ランナ３において、支軸１３の下端部には、パネル部材８２を支持する支持部としての支持凹部８３を備えている。支持凹部８３は、下側を開口端とした凹状空間部である。支持凹部８３には吊り下げられるパネル部材８２の落下を防止する係止突部８４が上方に向かって突設されている。
【００５９】
パネル部材８２は、上下方向に２枚のパネル部８６，８７を備えている。パネル部８６，８７は、パネル部２１と同様に、ガラスやポリカーボネートなどの合成樹脂により形成され、種々の装飾などが施されている。また、パネル部８６，８７の一方が透光性であり、他方が遮光性であってもよい。また、１つのパネル部の中で、透光性部分と遮光性部分を有していてもよい。上段に位置するパネル部８６は、上縁部８６ａに、支持凹部８３に係合する吊り下げ部８８を備えている。吊り下げ部８８は、上下を逆にした釣針形状を有しており、下方に向かった先端部に、係止突部８４に係合する係合部８８ａを備えている。パネル部８６は、上部ランナ３に対して、吊り下げ部８８が支持凹部８３に係合されることで、揺動可能となる。すなわち、揺動部は、支持凹部８３に吊り下げ部８８が係合されることによって構成されることになる。
【００６０】
パネル部８６の下縁部８６ｂには、連結凹部８９を備えている。連結凹部８９は、支持凹部８３と同様な構成を有しており、下側を開口端とした凹状空間部であり、下側のパネル部８７の落下を防止する係止突部８９ａが上方に向かって突設されている。
【００６１】
なお、下側に位置するパネル部８７は、パネル部８６と同様な構成を有しており、上縁部８７ａに、吊り下げ部８８を備えている。上側のパネル部８６と下側のパネル部８７との間にも、上側のパネル部８６の連結凹部８９に下側のパネル部８７の吊り下げ部８８が係合されることによって揺動部が構成される。なお、パネル部８７の下側に更なるパネル部を吊り下げるときには、下縁部に連結凹部が設けられる。また、パネル部８７が最下段となるときには、連結凹部は設けられない構成となる。
【００６２】
以上のような間仕切り８１では、パネル部８６が上部ランナ３の支軸１３に対して吊り下げられることで、矢印Ｄ２方向に揺動可能となり、さらに、上側のパネル部８６に対して下側のパネル部８７が矢印Ｄ２方向に揺動可能となる。したがって、パネル部８６，８７は、異物が当たり外力が加わったとしても、矢印Ｄ２方向に揺動することで破損しにくくなる。各パネル部８６，８７は、上部ランナ３の支持凹部８３または上側に位置するパネル部８６の連結凹部８９に対して吊り下げ部８８が係合される構成なので、パネル部２１に歪みが発生することを抑えることができる。
【００６３】
なお、上記第６実施形態は、以下のように適宜変更して実施することもできる。
・パネル部８６，８７における吊り下げ部８８と連結凹部８９は、各パネル部８６，８７の矢印Ｄ１方向における全幅に亘って設けられていなくてもよく、部分的に、例えば等間隔に設けられていてもよい。
【００６４】
・上部ランナ３に吊り下げられるパネル部の枚数は、１枚でもよいし、３枚以上であってもよい。
・吊り下げ部８８と支持凹部８３または連結凹部８９の間には潤滑剤を塗布するようにしてもよい。
【００６５】
〔第７実施形態〕
第７実施形態は、パネル部２１の変形例であり、パネル要素の間に生地要素を介在させた複層パネルである。図１５（ａ）に示すように、パネル部１００は、矩形形状を有する第１パネル要素１０１および第２パネル要素１０２と、第１パネル要素１０１と第２パネル要素１０２との間に配置される生地要素１０３とを備えている。ここで、第１パネル要素１０１および第２パネル要素１０２は、パネル部２１と同様の構成を有しており、全体が透光性を有している。また、第１パネル要素１０１および第２パネル要素１０２は、種々の装飾を施すことができる。ここでは、第１パネル要素１０１が生地要素１０３が仮止めされる接着対象パネルである。
【００６６】
生地要素１０３は、第１パネル要素１０１および第２パネル要素１０２とほぼ同じ大きさと形状を有している。生地要素１０３は、織物、編物、不織布などである。また、樹脂が含浸加工された織物、編物、不織布などである。
樹脂が含浸加工された生地要素１０３は、本来柔らかい生地に対して樹脂が含浸加工されることによって、繊維が解れにくくなり、また、皺になりにくくなる。また、生地の伸縮を抑制することができ、これにより、平面性または平坦性に優れ、形状安定性に優れた生地とすることができる。また、樹脂が含浸加工された生地要素１０３は、防炎剤を織り込むことで、防炎性能を付加することも可能である。
【００６７】
生地要素１０３は、両面テープ、接着剤などの接着手段１０４によって第１パネル要素１０１の内面全体に対して位置合わせされて仮止めされる。両面テープの場合、一方の接着面を第１パネル要素１０１の内面に貼り付け、他方の接着面で、生地要素１０３を接着して仮止めする。生地要素１０３が第１パネル要素１０１に仮止めされる位置は、一例として、上述したパネル部材を吊り下げ支持する支持部材２２，カバー２９，上枠部材３２，４２，５２，７２によって隠れる場所である。また、一例として、第１パネル要素１０１の上縁部１０１ｘ、下縁部１０１ｙ、上下方向に延びる側縁部１０１ｚである。図１５（ａ）において、接着手段１０４は、第１パネル要素１０１の内面であって上縁部１０１ｘに直線状に連続して設けられる。この後、第２パネル要素１０２が重ねられる。また、図１５（ｂ）に示すように、接着手段１０４は、第１パネル要素１０１の内面において全周の縁部に設けることもできる。この場合、図１５（ａ）の場合より、しっかりと生地要素１０３を第１パネル要素１０１に接着することができる。
【００６８】
第２パネル要素１０２が重ねられると、次いで、枠部材が取り付けられる。具体的には、上述した第１実施形態から第６実施形態のような場合、パネル部１００の上縁部に、支持部材２２や上枠部材３２，４２，５２，７２が取り付けられ、パネル部１００の下縁部にカバー２９が取り付けられる。この場合、接着手段１０４は、パネル部１００の上縁部だけに設けるようにし（図１５（ａ）参照）、支持部材２２や上枠部材３２，４２，５２，７２によって隠れるようにすることが好ましい。すなわち、第１パネル要素１０１の上下方向に延びる側縁部１０１ｚには、接着手段１０４を設けないことが好ましい。この例では、縦枠部材を使用しないので、支持部材２２や上枠部材３２，４２，５２，７２に対してパネル部１００が揺動するパネル部材となる。すなわち、パネル部１００は、上述した第１実施形態から第６実施形態の間仕切りに使用することができる。
【００６９】
また、パネル部１００は、上縁部に上枠部材が取り付けられ、上下方向に延びる側縁部に縦枠部材が取り付けられ、下縁部に、下枠部材が取り付けられることもある。この場合、接着手段１０４は、全周に設けることができる（図１５（ｂ）参照）。ただし、上枠部材と縦枠部材が固定されることによって、パネル部１００が揺動しないパネル部材となる。
【００７０】
以上のようなパネル部１００によれば、透光性を有する第１パネル要素１０１および第２パネル要素１０２で生地要素１０３を挟む構成にすることによって、生地要素１０３の図柄などのデザインをパネル越しに視認できるようになり、パネル部１００全体としてのデザイン設計の自由度を高めることができる。
【００７１】
また、接着手段１０４は、第１パネル要素１０１と生地要素１０３との間で用いられ、第２パネル要素１０２と生地要素１０３との間では使用されない。第２パネル要素１０２にも接着手段を設け、生地要素１０３と張り合わせる場合は、生地要素１０３に皺が発生してしまうおそれがある。これに対して、第７実施形態では、生地要素１０３と第２パネル要素１０２との間で接着手段１０４を使用しないことから、第２パネル要素１０２を生地要素１０３に重ねる作業を容易に行うことができる。
【００７２】
さらに、上記第７実施形態は、以下のように適宜変更して実施することもできる。
・接着手段１０４は、間欠的に、すなわち点線状にパネル要素に設けるようにしてもよい。
・接着手段１０４は、第１パネル要素１０１の上縁部１０１ｘ（図１５（ａ）参照）や全周縁部（図１５（ｂ）参照）以外に設ける構成としてもよい。例えば、四辺のうちの何れか一辺の縁部にだけ設けるようにしてもよい。また、接着手段１０４は、第１パネル要素１０１の内面全体に設けるようにしてもよいし、縁部以外の中央領域に設けるようにしてもよい。この場合、接着手段１０４としては、特に透光性に優れ視認されにくい接着剤や両面テープが用いられる。
【００７３】
〔第８実施形態〕
第８実施形態の間仕切りを図１６および図１７を参照して説明する。第８実施形態の間仕切りは、第５実施形態の変形例であり、パネル部２１に第７実施形態のパネル部１００を用いている。なお、第５実施形態および第７実施形態と同じものについては、同一の符号を付して詳細は省略する。
【００７４】
パネル部２１を上枠部材７２に対して揺動可能に支持する揺動部としての揺動軸部材５３は、軸半体５３ａ，５３ｂを備え、軸半体５３ｂには、パネル部１００の上縁部１００ａへの当接面５３ｄに、筒状部６６が形成されている。筒状部６６は、内側の孔が挿通孔５４に連続するようにして、当接面５３ｄから突出している。パネル部１００の上縁部１００ａには、第１パネル要素１０１に第１取付孔１０１ａが形成され、第２パネル要素１０２に第２取付孔１０２ａが形成され、生地要素１０３には、生地取付孔１０３ａが形成されている。なお、生地要素１０３は、第１取付孔１０１ａおよび第２取付孔１０２ａより若干小径に形成されている。
【００７５】
第１取付孔１０１ａ、第２取付孔１０２ａ、および、生地取付孔１０３ａは、パネル部１００が重ねられた一体化された状態において、同じ位置に合わされ連通する。そして、軸半体５３ｂは、取付孔１０１ａ，１０２ａ，１０３ａに対して筒状部６６が挿通されることで仮止めされる。さらに、反対側には、軸半体５３ａを配置する。これにより、パネル部１００の上縁部１００ａは、軸半体５３ａ，５３ｂにより挟み込まれる。この後、軸半体５３ｂからねじ５５ａを軸半体５３ｂの挿通孔５４に挿通し、軸半体５３ａの挿通孔５４においてナット５５ｂを締め付ける。これにより、一対の軸半体５３ａ，５３ｂは、上縁部２１ａを挟み込むようにして本止めされる。このように、揺動軸部材５３は、上縁部２１ａにおいて、上縁部２１ａの全部ではなく部分的に設けるようにしているので、パネル部２１に歪みが発生することを抑えることができる。
【００７６】
なお、パネル部１００の上縁部１００ａにおいて、接着手段１０４による生地要素１０３と第１パネル要素１０１との接着位置は、揺動軸部材５３の位置と完全に重なっていてもよいし、一部が重なっていてもよいし、全く重なっていなくてもよい。以上のような揺動軸部材５３は、第５実施形態の上枠部材７２によって、揺動可能に支持される。
【００７７】
なお、上記第８実施形態は、以下のように適宜変更して実施することもできる。
・筒状部６６の構造は、第４実施形態や第５実施形態の揺動軸部材５３に適用してもよい。
【００７８】
〔第９実施形態〕
第９実施形態は、第８実施形態の変形例であり、上枠部材７２に対して、縦枠部材１０６が取り付けられている。図１８および図１９に示すように、縦枠部材１０６は、パネル部１００の上下方向に延びる側縁部１００ｃが係合される取付溝１０７と、上枠部材７２の端部に結合するための結合部１０８とを備えている。取付溝１０７には、側縁部１００ｃがグレチャンなどを介して係合される。結合部１０８は、ねじなどの固定部材１０８ａが挿通される挿通孔１０８ｂを備えている。
【００７９】
上枠部材７２には、一対の支持片７３を連結する互いに平行な２つの連結片７３ａに固定部１０８ｃが設けられている。上側の連結片７３ａが備えた固定部１０８ｃは、開口端を下向きとしたＣ字形状をしており、下側の連結片７３ａが備えた固定部１０８ｃは、開口端を上向きとしたＣ字形状を有している。上枠部材７２の縦枠部材１０６に対する取付端部７２ａにおいて、固定部１０８ｃには、挿通孔１０８ｂに挿通された固定部材１０８ａが締め付けられる。これにより、上枠部材７２の取付端部７２ａには、縦枠部材１０６の結合部１０８が結合される。また、縦枠部材１０６の端部１０９ａには、キャップ部材１０９が取り付けられ、端部１０９ａの開口部が閉塞される。第９実施形態では、上枠部材７２に対して縦枠部材１０６が結合されることによって、パネル部１００は、揺動しなくなる。
【００８０】
第９実施形態は、パネル部が上部ランナによって吊り下げ支持されるのではなく、下部レールに沿って移動する下部ランナに支持される間仕切りにも適用可能である。
【００８１】
なお、上記第８実施形態および第９実施形態は、以下のように適宜変更して実施することもできる。
・パネル部１００において、生地要素１０３は、接着手段１０４によって、第１パネル要素１０１に仮止めされていなくてもよい。すなわち、パネル部は、接着手段１０４を用いることなく、単に、第１パネル要素１０１と第２パネル要素１０２との間に生地要素１０３を介在させて、枠部材によって、縁部を固定する構成としてもよい。このような構成によっても、生地要素１０３が樹脂が含浸加工されたものであれば、生地要素１０３に対して皺が発生しにくくなる。
【００８２】
さらに、上記第１実施形態〜第９実施形態は、以下のように適宜変更して実施することもできる。
・上部ランナ３は、次のように構成することができる。図２０に示すように、上部ランナ９１は、上部ランナ３のように車輪１２を備えていない。上部ランナ９１は、略円形形状を有したランナ本体９２を備えている。なお、図２０では、上記第５実施形態の上枠部材７２を示しているが、パネル部材としては、上記第１実施形態から上記第９実施形態の何れのパネル部材が上部ランナ９１に吊り下げられていてもよい。
【００８３】
ランナ本体９２は、その直径が上部レール２の前壁６ａと後壁６ｂの内面との間隔に一致し、また、上部レール２の支持片７ａに下面が支持されている。このような上部ランナ９１は、上部レール２が直線部だけでなく、直線部に対して９０°折曲しその先で直線部と平行となる分岐路を有しているとき、当該分岐路に進入することができる。一例として、１つのパネル部材が２つの上部ランナ９１によって吊り下げ支持されているとき、一方の上部ランナ９１を直線部に進入させ、他方の上部ランナ９１を分岐路に進入させることができる。これにより、パネル面をパネル部材の進行方向に対して直交する方向に向かせることができる。
【００８４】
・上部レール２に矢印Ｄ１方向に吊り下げ支持されるパネル部材４，８２の枚数は特に限定されるものではない。また、上部レール２に吊り下げられるパネル部材４，８２の全てが、支持部に対してパネル部が揺動可能であってもよいし、一部のパネル部材４，８２が支持部に対してパネル部が揺動可能であってもよい。
【００８５】
・パネル部材４，８２は、パネル部や横枠部材が精度よく製造されているのであれば、下縁部に横枠部材が下縁部の全幅を接着剤やねじ止めによって強固に固定されていてもよいし、上下方向に延びる側縁部に縦枠部材が接着剤やねじ止めによって強固に固定されていてもよい。また、横桟が取り付けられていてもよい。
【００８６】
・揺動部の構成は、透光領域を含まない遮光性のパネル部に適用してもよい。
・間仕切りとしては、引戸の他、折引戸であってもよい。
【００８７】
上記実施形態、及び、その変形例によれば、更に、以下の技術的思想が導き出される。
（付記１）
レールに沿って移動するランナでパネル部を吊り下げ支持する間仕切りにおいて、
前記パネル部は、透光性を有する第１パネル要素および第２パネル要素と、前記第１パネル要素および前記第２パネル要素の間に配置される生地要素とを備え、
前記第１パネル要素および前記第２パネル要素のうちの何れか一方が前記生地要素の接着対象となる接着対象パネルであり、
前記接着対象パネルは、接着手段によって前記生地要素が接着されている
間仕切り。
従来より、生地要素をパネル要素で挟み込んだ複層パネルが存在しているところ、上記間仕切りによれば、接着手段は、接着対象パネルと生地要素との間で用いられ、接着対象パネルでないパネル要素と生地要素との間では使用されない。２枚のパネル要素で生地要素を挟み込む場合において、それぞれのパネル要素と生地要素との間を接着手段で接着する場合は、接着手段を用いた２回の貼り合わせ作業があり、それぞれの作業のときに、生地要素に皺が発生してしまうおそれがある。
これに対して、上記間仕切りによれば、接着対象パネルでないパネル要素と生地要素との間では、接着手段を使用しないことから、その分、生地要素での皺の発生を抑えることができる。
（付記２）
前記生地要素は樹脂が含浸加工されている
付記１に記載の間仕切り。
（付記３）
前記第１パネル要素および前記第２パネル要素のうちで前記接着対象パネル以外のパネル要素と前記生地要素との間には接着手段が介在しない
付記１または付記２に記載の間仕切り。
（付記４）
前記接着対象パネルは、前記生地要素と対向する面の縁部に前記接着手段を備える
付記１ないし３のうち何れか１項に記載の間仕切り。
（付記５）
前記接着対象パネルは、前記接着手段を、前記生地要素と対向する面に複数箇所備える
付記１ないし４のうち何れか１項に記載の間仕切り。
（付記６）
レールに沿って移動するランナでパネル部を支持する間仕切りにおいて、
前記パネル部は、透光性を有する第１パネル要素および第２パネル要素と、前記第１パネル要素および前記第２パネル要素の間に配置され、樹脂が含浸加工された生地要素とを備える
間仕切り。
上記間仕切りによれば、生地要素を２枚のパネル要素を張り合わせる際、生地要素が樹脂が含浸加工されているので、皺が発生しにくくなる。
【符号の説明】
【００８８】
１…間仕切り、２…上部レール、３…上部ランナ、４…パネル部材、６ａ…前壁、６ｂ…後壁、６ｃ…上壁、７…レール開口部、７ａ…支持片、１１…ランナ本体、１２…車輪、１３…支軸、１４…貫通孔、２１…パネル部、２１ａ…上縁部、２１ｂ…下縁部、２１ｃ，２１ｄ…側縁部、２２…支持部材、２２ａ…支持片、２２ｂ…連結部、２３…長孔、２４…緩衝部材、２５ａ…平坦面、２５ｂ…円弧面、２８…連結孔、２８ａ…カラー、２８ｂ…固定部材、２８ｃ…ナット、２９…カバー、２９ａ…緩衝材、３１…間仕切り、３２…上枠部材、３３…支持片、３４…取付孔、３４ａ…固定部材、３５…連結孔、３５ａ…カラー、３５ｂ…固定部材、３５ｃ…ナット、３６…緩衝部材、４１…間仕切り、４２…上枠部材、４３…揺動軸部材、４３ａ…取付開口部、４３ｂ…貫通部、４３ｃ…取付溝、４４…支持片、４５…取付孔、４５ａ…固定部材、４６…突片、４６ａ…受容部、４６ｂ…補強リブ、５１…間仕切り、５２…上枠部材、５３…揺動軸部材、５３ａ，５３ｂ…軸半体、５３ｃ，５３ｄ…当接面、５３ｅ，５３ｆ…支持面、５３ｇ…係合片，５３ｈ…係合片、５４…挿通孔、５５…取付孔、５５ａ…ねじ、５５ｂ…ナット、５６ａ，５６ｂ…受容部材、５７…支持片、５７ａ…案内溝、５７ｂ…連結片、５８…取付凹部、５８ａ…片、５８ｂ…係止片、５９ａ，５９ｂ…本体部、６０ａ，６０ｂ…受容部、６１…軸保持部材、６２…固定部材、６３ａ，６３ｂ…側壁、６４…円周、６６…筒状部、７１…間仕切り、７２…上枠部材、７２ａ…取付端部、７３…支持片、７３ａ…連結片、７３ｂ…案内溝、７４ａ，７４ｂ…受容片、７５ａ，７５ｂ…案内突部、７５ｃ…円周、７６ａ，７６ｂ…凹部、７７ａ，７７ｂ…閉塞部材、７８ａ，７８ｂ…当接部、７９ａ，７９ｂ…回動軸、８１…間仕切り、８２…パネル部材、８３…支持凹部、８４…係止突部、８６，８７…パネル部、８６ａ，８７ａ…上縁部、８６ｂ…下縁部、８８…吊り下げ部、８８ａ…係合部、８９…連結凹部、８９ａ…係止突部、９１…上部ランナ、９２…ランナ本体、１００…パネル部、１００ａ…上縁部、１００ｃ…側縁部、１０１…第１パネル要素、１０１ａ…第１取付孔、１０２…第２パネル要素、１０２ａ…第２取付孔、１０３…生地要素、１０３ａ…生地取付孔、１０４…接着手段、１０６…縦枠部材、１０７…取付溝、１０８…結合部、１０８ａ…固定部材、１０８ｂ…挿通孔、１０８ｃ…固定部、１０９…キャップ部材、１０９ａ…端部。
【図１】
2018188939.tif 000003
【図２】
2018188939.tif 000004
【図３】
2018188939.tif 000005
【図４】
2018188939.tif 000006
【図５】
2018188939.tif 000007
【図６】
2018188939.tif 000008
【図７】
2018188939.tif 000009
【図８】
2018188939.tif 000010
【図９】
2018188939.tif 000011
【図１０】
2018188939.tif 000012
【図１１】
2018188939.tif 000013
【図１２】
2018188939.tif 000014
【図１３】
2018188939.tif 000015
【図１４】
2018188939.tif 000016
【図１５】
2018188939.tif 000017
【図１６】
2018188939.tif 000018
【図１７】
2018188939.tif 000019
【図１８】
2018188939.tif 000020
【図１９】
2018188939.tif 000021
【図２０】
2018188939.tif 000022